(57)【特許請求の範囲】
【請求項１】
上面が開口した浅底矩形状の充填筐体部を備え、該充填筐体部内に舗装材が充填されて、隣接する建造物の床相互間の目地に差し渡されるカバー体の一端が、一方の床の側縁に連結手段を介して連結されるとともに、該カバー体の他端を自由端とし、該自由端が他方の床の側縁に摺動可能に乗載されてなる床用目地カバー装置において、
前記カバー体が、薄肉鋼板からなる充填筐体部の少なくとも目地幅方向に沿う左右の側壁板の上端部に、該左右の側壁板の上縁を夫々内側方に向けて屈曲させた熱歪み防止縁を備えてなり、該カバー体に溶融亜鉛メッキが施されていることを特徴とする床用目地カバー装置。
【請求項２】
充填筐体部の側壁板の内側に目地幅方向に沿って配設され、一側縁が充填筐体部の底板側に固着される一方、他側縁が側壁板の内側面に固着されて側壁板を支持する補強支持板を備えていることを特徴とする請求項１記載の床用目地カバー装置。
【請求項３】
薄肉鋼板が、厚さ２〜３ｍｍの一般構造用圧延鋼材であることを特徴とする請求項１又は請求項２記載の床用目地カバー装置。
【請求項４】
カバー体が、矩形状の底板の目地幅方向に沿う両側縁に夫々立設された左右の側壁板と、前記底板の後端縁に立設された後壁板と、前記底板の前端縁から前部上方に向けて斜めに延出された傾斜壁板とを具備する充填筐体部を備えるとともに、該充填筐体部の前部に、前方へ延出する端部カバー板が配設され、該端部カバー板の下面が前記傾斜壁板の上端縁によって支持されていることを特徴とする請求項１乃至請求項３の何れか１項に記載した床用目地カバー装置。
【発明の詳細な説明】
【技術分野】
【０００１】
本発明は、隣接する建造物の床相互間の目地を覆う床用目地カバー装置に関する。
【背景技術】
【０００２】
緩衝機能を備えた免震装置によって下部が支持された建物にあっては、地震時における水平方向の揺れが大きくなる傾向がある。このような免震構造の建物の周囲には、隣接する人工地盤との間に、前記揺れを吸収し得る比較的広幅の目地が形成されており、かかる免震構造の建物の目地に好適に使用し得る床用目地カバー装置が、本願出願人によって既に提案されている（例えば、特許文献１参照）。
【０００３】
かかる床用目地カバー装置は、図１３（Ａ）に示すように、建物としての建造物Ａの床ｆと、該床ｆに目地ｓを介して隣接する人工地盤としての建造物Ｂとの間に差し渡されて前記目地ｓを覆うカバー体Ｃの一端を、前記床ｆの側縁に連結手段ａを介して揺動可能に連結し、該カバー体Ｃの他端を自由端として、該自由端にその下面から外端上面に向けて傾斜する傾斜端縁ｂを設けるとともに、該傾斜端縁ｂの上部からカバー体Ｃの上面ｄと略面一となるようにして端部カバー板ｃを建造物Ｂ側に向けて突設する一方、前記建造物Ｂの側縁に、水平受縁ｅと、該水平受縁ｅの外端に前記傾斜端縁ｂと同方向に傾斜する傾斜受縁ｇとを備えた摺動受枠ｈを配設し、該摺動受枠ｈの水平受縁ｅ上に、前記カバー体Ｃの自由端を乗載するとともに、前記端部カバー板ｃの外端を建造物Ｂの床面ｉ上に乗載し、該端部カバー板ｃによってカバー体Ｃの傾斜端縁ｂと摺動受枠ｈの傾斜受縁ｇ間に生じる作動空隙ｊの上方を遮蔽するように構成されている。
【０００４】
そして、地震時において、建造物Ａと、隣接する建造物Ｂとが近接する方向に比較的小さく相対変位した場合には、カバー体Ｃの自由端が摺動受枠ｈの水平受縁ｅ上を作動空隙ｊの範囲内で水平に摺動してその相対変位に追従し、さらに大きく相対変位すると、図１３（Ｂ）に示すように、カバー体Ｃは、一端の連結手段ａを支点として、自由端に形成された傾斜端縁ｂが摺動受枠ｈの傾斜受縁ｇに沿ってずれ上がることにより、その相対変位から逃げることができるようになっている。
【０００５】
また、カバー体Ｃ内に、モルタル及びタイル等からなる舗装材を充填し得るようにする場合には、該カバー体Ｃに、矩形状の底板と、該底板の四辺縁に立設した側壁板とによって、上面が開口した浅底矩形状の充填筐体部を設けるようにしている。
【特許文献１】特開平１０−３１７５１６号公報（図１、図２）
【発明の開示】
【発明が解決しようとする課題】
【０００６】
上記のように舗装材を充填し得る充填筐体部を備えた従来のカバー体Ｃにあっては、その素材に厚さ３ｍｍ程度のステンレスが用いられていた。周知のように、ステンレスは強度，耐食性，美観性に優れた材質であるが、高価であるため、ステンレスに比して安価な鋼板（スチール）を用いてカバー体Ｃを製作することが試みられた。この場合、厚さ２〜３ｍｍ程度の薄肉鋼板を用いて、浅底矩形状の充填筐体部を備えたカバー体Ｃを形成した後、鋼板の耐食性，美観性を高めるために溶融亜鉛メッキを施すのであるが、溶融亜鉛メッキは、溶融した５００℃程度の亜鉛浴中に素材を浸漬して亜鉛被膜を形成するものであるため、このような高温の亜鉛浴中にカバー体Ｃを浸漬すると、充填筐体部の側壁板が熱歪みによって内外方向に波打つように変形してしまうことが分かった。ここで、カバー体Ｃは、目地に沿う方向に複数個を並列させて使用されるものであるため、特に隣接するカバー体Ｃの側壁板相互に変形が生じていると、並列させた場合にその変形が目立ち易く、見た目が悪いという問題点があった。
【０００７】
本発明は、かかる従来の問題点を解消し得る床用目地カバー装置を提供することを目的とするものである。
【課題を解決するための手段】
【０００８】
本発明は、上面が開口した浅底矩形状の充填筐体部を備え、該充填筐体部内に舗装材が充填されて、隣接する建造物の床相互間の目地に差し渡されるカバー体の一端が、一方の床の側縁に連結手段を介して連結されるとともに、該カバー体の他端を自由端とし、該自由端が他方の床の側縁に摺動可能に乗載されてなる床用目地カバー装置において、前記カバー体が、薄肉鋼板からなる充填筐体部の少なくとも目地幅方向に沿う左右の側壁板の上端部に、該左右の側壁板の上縁を夫々内側方に向けて屈曲させた熱歪み防止縁を備えてなり、該カバー体に溶融亜鉛メッキが施されていることを特徴とする床用目地カバー装置である。
【０００９】
ここで、薄肉鋼板からなる充填筐体部の左右の側壁板は、充填筐体部を構成する底板に左右の側壁板となる帯板部を一体形成して、これを上方に屈曲させて設けたり、或いは床板と別体形成した左右の側壁板を底板の側縁に接合することにより設けることができる。また、溶融亜鉛メッキは、左右の側壁板の上縁に熱歪み防止縁を備えたカバー体に対して施される。
【００１０】
上述した床用目地カバー装置にあって、充填筐体部の側壁板の内側に目地幅方向に沿って配設され、一側縁が充填筐体部の底板側に固着される一方、他側縁が側壁板の内側面に固着されて側壁板を支持する補強支持板を備えている構成が提案される。
【００１１】
また、薄肉鋼板が、厚さ２〜３ｍｍの一般構造用圧延鋼材である構成が提案される。
【００１２】
さらに、カバー体が、矩形状の底板の目地幅方向に沿う両側縁に夫々立設された左右の側壁板と、前記底板の後端縁に立設された後壁板と、前記底板の前端縁から前部上方に向けて斜めに延出された傾斜壁板とを具備する充填筐体部を備えるとともに、該充填筐体部の前部に、前方へ延出する端部カバー板が配設され、該端部カバー板の下面が前記傾斜壁板の上端縁によって支持されている構成が提案される。
【発明の効果】
【００１３】
本発明は、上述したように、カバー体が、薄肉鋼板からなる充填筐体部の少なくとも目地幅方向に沿う左右の側壁板の上端部に、該左右の側壁板の上縁を夫々内側方に向けて屈曲させた熱歪み防止縁を備えてなり、該カバー体に溶融亜鉛メッキが施されているので、側壁板の上端部に設けられた熱歪み防止縁によって、薄肉鋼板からなる側壁板の面方向の強度が向上され、カバー体の溶融亜鉛メッキ時に、熱歪みによる側壁板の変形を防止することができる。そして、このように、薄肉鋼板からなる充填筐体部を備えたカバー体に溶融亜鉛メッキを施し得るので、従来のステンレス製のものに比して半額程度のコストでカバー体を製作することができるとともに、鋼板製のカバー体の耐食性及び美観性を高めることができる。
【００１４】
また、充填筐体部の側壁板の内側に目地幅方向に沿って配設され、一側縁が充填筐体部の底板側に固着される一方、他側縁が側壁板の内側面に固着されて側壁板を支持する補強支持板を備えている構成にあっては、該補強支持板によって、側壁板の強度をさらに向上させることができ、カバー体の溶融亜鉛メッキ時に、該側壁板の熱歪みによる変形をより確実に防止することができる。
【００１５】
また、薄肉鋼板を、厚さ２〜３ｍｍの一般構造用圧延鋼材とする構成にあっては、厚肉の鋼板に比して軽量かつ安価であり、所定の強度を備えているので、側壁板の上端部に熱歪み防止縁を設ける充填筐体部の材質として、最も適したものとなる。
【００１６】
さらに、カバー体が、矩形状の底板の目地幅方向に沿う両側縁に夫々立設された左右の側壁板と、前記底板の後端縁に立設された後壁板と、前記底板の前端縁から前部上方に向けて斜めに延出された傾斜壁板とを具備する充填筐体部を備えるとともに、該充填筐体部の前部に、前方へ延出する端部カバー板が配設され、該端部カバー板の下面が前記傾斜壁板の上端縁によって支持されている構成にあっては、底板の前端縁から延出されて端部カバー板の下面を支持する傾斜壁板によって、端部カバー板の面方向の強度が向上され、カバー体の溶融亜鉛メッキ時に、端部カバー板の熱歪みによる変形を防止することができる。
【発明を実施するための最良の形態】
【００１７】
本発明にかかる床用目地カバー装置の第一実施例を、図１〜図１０に基づいて説明する。
図１において、Ａは緩衝機能を備えた免震装置（図示省略）によって下部が支持された免震構造の建物からなる建造物、Ｂは該建造物Ａの周囲に形成された人工地盤からなる建造物であって、目地ｓを介して隣接している。目地ｓは、建造物Ａの周囲に沿って所定幅で形成され、地震時における建造物Ａと周囲の建造物Ｂとの水平方向の相対的な揺れを吸収し得るようになっている。
【００１８】
前記建造物Ｂの床ｆ2 の側縁には、図１に示すように、後述するカバー体Ｃの厚みに相当する深さで窪ませた支持段縁１が、目地ｓの幅方向（図１において左右方向）に所定幅で形成されており、該支持段縁１の前端稜部には水平受縁２ａを備えた前部摺動受枠２が配設されている。また、該支持段縁１の後端側には、第一水平受縁３ａの後端に傾斜受縁３ｂを介して第二水平受縁３ｃが連成され、さらに該第二水平受縁３ｃの後端に床ｆ2 の上面に向けて上方傾斜する傾斜受縁３ｄが連成された後部摺動受枠３が配設されている。ここで、前記第二水平受縁３ｃの深さは、カバー体Ｃを構成する端部カバー板１５の前端部分に斜め下方に曲成された屈曲端１５ａの上下幅に相当する深さに設定されている。これにより、カバー体Ｃの上面が床ｆ2 の上面と略面一となるようにしている。この前部摺動受枠２と後部摺動受枠３は、目地ｓに沿う方向（図１において前後方向）に延在するように配設されており、その長さは、図１０に示すように、複数個のカバー体Ｃを配置した状態において、その両端に位置するカバー体Ｃ，Ｃの側方に、該カバー体Ｃ，Ｃが目地ｓに沿う方向に摺動し得る作動空隙４，４が夫々生じる長さに設定されている。尚、前記前部摺動受枠２と後部摺動受枠３は、図示したように分割形成することなく、一体に形成することも可能である。また、後部摺動受枠３は、図２に示す変形実施例のように、前記傾斜受縁３ｂに代えて第一水平受縁３ａの後端に略直角に立ち上がる立ち上がり縁３ｅを備えたものであってもよい。
【００１９】
建造物Ａの床ｆ1 と建造物Ｂの床ｆ2 の間には、カバー体Ｃが差し渡され、目地ｓを覆っている。該カバー体Ｃは、目地ｓに沿う方向に複数個が連続状に配設されるものであって（図１０参照）、各カバー体Ｃは、図１に示すように、その一端が建造物Ａの床ｆ1 の側縁に、後述する連結手段２０を介して連結されている。各カバー体Ｃは、他端を自由端としており、該自由端が上述した前部摺動受枠２と後部摺動受枠３とを備えた支持段縁１上に摺動可能に乗載されている。
【００２０】
各カバー体Ｃは、図３，図４に示すように、上面が開口した浅底矩形状の充填筐体部５と、該充填筐体部５の前部に配設されて前方へ延出された端部カバー板１５とを備えている。充填筐体部５は、厚さ1.5〜５ｍｍ程度、好ましくは厚さ２〜３ｍｍの一般構造用圧延鋼材（SS400）からなる薄肉鋼板が素材に用いられており、図３〜図５に示すように、矩形状の底板６と、該底板６の目地幅方向（図１において左右方向）に沿う両側縁に夫々立設された左右の側壁板７，７と、前記底板６の後端縁に立設された後壁板８と、前記底板６の前端縁から前部上方に向けて斜めに延出された傾斜壁板９とを備えている。ここで、前記左右の側壁板７，７と後壁板８は、底板６の三辺縁に一体形成された帯板部を上方に向けて略直角に屈曲させることによって設けられており、傾斜壁板９は、底板６の他の一辺縁に一体形成された帯板部を斜め上方に屈曲させることによって設けられている。尚、左右の側壁板７，７と後壁板８は、床板６と別体形成したものを底板６の三辺縁に溶接を介して接合することにより設けることも可能である。また、前記底板６上には、鋼材製の角パイプからなる複数の補強杆１１が所定間隔で目地幅方向に沿って配設されている。該補強杆１１は所要箇所が溶接を介して底板６の上面に接合されており、該補強杆１１によって底板６の面方向の強度を向上させるようにしている。
【００２１】
前記左右の側壁板７，７及び後壁板８の上端部には、その上縁を夫々内方に向けて略直角に屈曲させた所定幅（８ｍｍ程度）の熱歪み防止縁１０（図６，図７参照）が設けられており、該熱歪み防止縁１０によって、側壁板７，７及び後壁板８の面方向の強度を向上させるようにしている。また、側壁板７，７の内側には帯板状の補強支持板１２，１２が目地幅方向に沿って夫々配設されている。夫々の補強支持板１２は、図６（Ａ）に示すように、底板６と側壁板７の上部間に亘って斜めに配置されており、その一側縁が底板６の上面に溶接を介して固着され、他側縁が側壁板７の内側面に溶接を介して固着されている。ここで、側壁板７の内側面に固着される補強支持板１２の他側縁には、複数の透孔１３が目地幅方向に所定間隔で形成されており、各透孔１３に施されるプラグ溶接によって該透孔１３の口縁と側壁板７の内側面とが接合されている。そして、該補強支持板１２，１２によって、側壁板７，７の面方向の強度をさらに向上させるようにしている。尚、補強支持板１２は、上記のように斜めに配置する形態に代えて、図６（Ｂ）に示すように、断面Ｌ形に形成し、その水平部１２ａを前記補強杆１１の上面に溶接を介して固着する一方、垂直部１２ｂを前記プラグ溶接を介して側壁板７の内側面の上部に固着するようにしてもよい。
【００２２】
一方、前記後壁板８の内側には断面Ｌ形の補強支持板１４が目地ｓに沿う方向に配設されている。該補強支持板１４は、図７に示すように、その水平部１４ａが前記補強杆１１の上面に溶接を介して固着される一方、垂直部１４ｂが前記プラグ溶接を介して後壁板８の内側面の上部に固着されている。そして、該補強支持板１４によって、後壁板８の面方向の強度をさらに向上させるようにしている。
【００２３】
充填筐体部５の前部に配設された端部カバー板１５は、充填筐体部５の肉厚に比して若干厚肉の厚さ４〜６ｍｍの一般構造用圧延鋼材（SS400）からなる薄肉鋼板が素材に用いられており、図３，図４に示すように、その前端部分に斜め下方に向けて曲成された屈曲端１５ａを備え、かつ後端に下方に向けて略直角に屈曲された遮蔽壁部１５ｂを備えている。該端部カバー板１５は、遮蔽壁部１５ｂの左右の側端部が、充填筐体部５の側壁板７，７の前端部に溶接を介して固着されており、該遮蔽壁部１５ｂによって充填筐体部５の前部開口が遮蔽されている。また、該端部カバー板１５の下面には、前記底板６から延出された傾斜壁板９の上端縁が溶接を介して固着されており、該傾斜壁板９によって端部カバー板１５の下面が支持されている。これにより、端部カバー板１５の面方向の強度を向上させるようにしている。
【００２４】
また、後述する連結手段２０を介して建造物Ａの床ｆ1 の側縁に連結されるカバー体Ｃの一端には、図４，図５に示すように、底板６の目地幅方向（図１において左右方向）に沿う両側縁の近傍位置に、上下方向の挿通孔２１，２１が形成されており、該挿通孔２１，２１は、下端部が補強基板２８（図８参照）を介して底板６に溶接された鋼材製の丸パイプからなるモルタル遮断筒２２，２２によって囲繞されている。尚、前記補強基板２８にも挿通孔２１，２１に連続する上下方向の挿通孔が形成されている。
【００２５】
そして、カバー体Ｃは、このように形成された後、溶融した５００℃程度の亜鉛浴中に浸漬されて溶融亜鉛メッキが施される。これにより、カバー体Ｃを構成する薄肉鋼板の耐食性及び美観性を高めるようにしている。また、カバー体Ｃの充填筐体部５内には、施工時に周囲の床ｆ1 ，ｆ2（図１参照）上に敷設されるモルタル１６及びタイル１７等からなる舗装材１８と同じ舗装材１８が充填されることとなる。
【００２６】
カバー体Ｃの自由端は、前記傾斜壁板９と上述した後部摺動受枠３の傾斜受縁３ｂ（図１参照）または立ち上がり縁３ｅ（図２参照）との間に適宜幅の空隙が生じるようにして前部摺動受枠２の水平受縁２ａ及び後部摺動受枠３の第一水平受縁３ａが配設された支持段縁１上に乗載されており、前記空隙を作動空隙１９としている。また、端部カバー板１５は、建造物Ｂの床ｆ2 側に向けて突出されて、その屈曲端１５ａが後部摺動受枠３の第二水平受縁３ｃ上に乗載されており、この端部カバー板１５によって前記作動空隙１９の上方が遮蔽されている。
【００２７】
前記連結手段２０を図８に基づいて説明する。
建造物Ａの床ｆ1 の側縁上には、目地ｓに沿う方向に延在するようにして保持受枠２３が配設されている。該保持受枠２３は、水平受縁２３ａと垂直縁２３ｂとを備えた断面Ｌ形に形成されており、水平受縁２３ａの上面に、上述したカバー体Ｃを構成する充填筐体部５の一端が乗載されている。また、水平受縁２３ａには、その下面側から挿通して該水平受縁２３ａに固着したボルトからなる複数の連結杆２４が、前記底板６の挿通孔２１，２１に対応する位置に夫々立設されている。各連結杆２４は、水平受縁２３ａ上にカバー体Ｃを構成する充填筐体部５の一端を乗載した状態において、前記底板６の挿通孔２１，２１に下方から遊嵌され、その上端にはナットからなる受圧部材２５が螺着されている。また、各連結杆２４には、前記受圧部材２５と底板６との間に介装するようにしてコイルバネからなる弾発部材２６が圧縮状態で外嵌されており、該弾発部材２６の弾発力によってカバー体Ｃを常時下方に付勢するようにしている。尚、このカバー体Ｃの下方付勢手段としては、コイルバネに代えてゴムリング（図示省略）を用いることも可能である。これにより、建造物Ａの床ｆ1 の側縁に、カバー体Ｃの一端を揺動可能に連結する連結手段２０が構成されている。また、この連結状態において、カバー体Ｃの上面が建造物Ａの床ｆ1 の上面と同一高さとなるようにしている。さらに、挿通孔２１，２１を囲繞するモルタル遮断筒２２，２２の上部は、前記弾発部材２６及び受圧部材２５の取付け操作を可能とする操作口となっており、該操作口には、遮蔽キャップ２７，２７が着脱可能に嵌着されている。
【００２８】
次に、かかる構成からなる床用目地カバー装置の作動態様について説明する。
カバー体Ｃの充填筐体部５内には施工時において、図１に示すように、周囲の床ｆ1 ，ｆ2 上に敷設されるモルタル１６及びタイル１７等からなる舗装材１８と同じ舗装材１８が充填される。そして、カバー体Ｃは、舗装材１８が充填された充填筐体部５の上面が、建造物Ａの床ｆ1 の上面及び建造物Ｂの床ｆ2 の上面と略面一になるように配設されていることにより、常時は、該カバー体Ｃと、建造物Ａの床ｆ1 または建造物Ｂの床ｆ2 との間に段差が生じることがない。また、地震時において、建造物Ａと、隣接する建造物Ｂとが近接する方向に比較的小さく相対変位すると、カバー体Ｃの自由端が作動空隙１９の範囲内で水平に摺動してその相対変位に追従し、さらに大きく相対変位すると、カバー体Ｃは、自由端に形成された傾斜壁板９が、傾斜受縁３ｂ（図１参照）または立ち上がり縁３ｅ（図２参照）の上端に当接してずれ上がり、図９に示すように、連結手段２０により連結された一端を支点として傾動することにより、その相対変位から逃げることができる。
【００２９】
また、建造物Ａと、隣接する建造物Ｂとが離れる方向に相対変位すると、カバー体Ｃは、その自由端が支持段縁１上を、傾斜受縁３ｂ（または立ち上がり縁３ｅ）と逆方向に向けて水平に摺動してその相対変位に追従する。
【００３０】
そして、地震が終って建造物Ａと建造物Ｂとが定常位置に戻ると、これに伴なってカバー体Ｃの自由端も、図１に示した定常位置に戻り、カバー体Ｃが定常状態に復帰する。
【００３１】
また、建造物Ａと、隣接する建造物Ｂとが前後方向（目地ｓに沿う方向）に相対変位すると、カバー体Ｃの自由端は、支持段縁１上を前後方向に摺動してその相対変位に追従する。この場合、図１０に示すように、目地ｓに沿って連続状に配置された複数個のカバー体Ｃの、その両端に位置するカバー体Ｃ，Ｃの側方に位置させて、前部摺動受枠２と後部摺動受枠３の側端部に作動空隙４，４が設けられていることにより、該作動空隙４，４によって各カバー体Ｃの自由端の前後方向の摺動が可能となっている。
【００３２】
さらに、建造物Ａと、隣接する建造物Ｂとが上下方向に相対変位すると、カバー体Ｃは、連結手段２０により建造物Ａの床ｆ1 の側縁に連結された一端を支点として、建造物Ａもしくは隣接する建造物Ｂの上下動に伴なって傾動して、その相対変位に追従する。
【００３３】
かかる構成にあって、上述したように、カバー体Ｃが、薄肉鋼板からなる充填筐体部５の少なくとも目地ｓの幅方向に沿う左右の側壁板７，７の上端部に、該左右の側壁板７，７の上縁を夫々内側方に向けて屈曲させた熱歪み防止縁１０，１０を備えているので、該熱歪み防止縁１０，１０によって、薄肉鋼板からなる側壁板７，７の面方向の強度が向上され、カバー体Ｃの溶融亜鉛メッキ時に、熱歪みによる側壁板７，７の変形を防止することができる。そして、このように、薄肉鋼板からなる充填筐体部５を備えたカバー体Ｃに側壁板７，７の変形を生ずることなく、溶融亜鉛メッキを施し得るので、従来のステンレス製のものに比して半額程度のコストでカバー体Ｃを製作することができるとともに、鋼板製のカバー体Ｃの耐食性及び美観性を高めることができる。
【００３４】
また、一側縁が充填筐体部５の底板６側に固着される一方、他側縁が側壁板７，７の内側面に固着されて側壁板７，７を支持する補強支持板１２，１２が、充填筐体部５の側壁板７，７の内側に目地ｓの幅方向に沿って配設されているので、該補強支持板１２，１２によって、側壁板７，７の強度をさらに向上させることができ、カバー体Ｃの溶融亜鉛メッキ時に、該側壁板７，７の熱歪みによる変形をより確実に防止することができる。
【００３５】
また、薄肉鋼板が、厚さ２〜３ｍｍの一般構造用圧延鋼材であるため、厚肉の鋼板に比して軽量かつ安価であり、所定の強度を備えているので、側壁板７，７の上端部に熱歪み防止縁１０，１０を設ける充填筐体部５の材質として、最も適したものとなる。
【００３６】
さらに、カバー体Ｃが、矩形状の底板６の目地ｓの幅方向に沿う両側縁に夫々立設された左右の側壁板７，７と、前記底板６の後端縁に立設された後壁板８と、前記底板６の前端縁から前部上方に向けて斜めに延出された傾斜壁板９とを具備する充填筐体部５を備えるとともに、該充填筐体部５の前部に、前方へ延出する端部カバー板１５が配設され、該端部カバー板１５の下面が前記傾斜壁板９の上端縁によって支持されているので、該傾斜壁板９によって、端部カバー板１５の面方向の強度が向上され、カバー体Ｃの溶融亜鉛メッキ時に、端部カバー板１５の熱歪みによる変形を防止することができる。
【００３７】
図１１，図１２は、第二実施例を示し、この第二実施例は、建造物Ａに目地ｓを介して隣接する建造物Ｂの床ｆ2 が、建造物Ａの床ｆ1 の高さに比して、カバー体Ｃの厚み分だけ低く設定されており、該床ｆ2 の側縁に水平受縁２ａを備えた前部摺動受枠２と比較的長い水平受縁２９ａを備えた後部摺動受枠２９が配設されている。尚、該後部摺動受枠２９は前後に分割して形成することも可能である。また、建造物Ａの床ｆ1 と建造物Ｂの床ｆ2 間の目地ｓに差し渡されて該目地ｓを覆うカバー体Ｃは、その一端が建造物Ａの床ｆ1 の側縁に、上述した連結手段２０（図８参照）を介して揺動可能に連結され、他端の自由端が建造物Ｂの床ｆ2 の側縁上に摺動可能に乗載されている。
【００３８】
カバー体Ｃは、第一実施例と同様に、上面が開口した浅底矩形状の充填筐体部５と、該充填筐体部５の前部に配設されて前方へ延出された端部カバー板１５とを備えている。充填筐体部５は、厚さ1.5〜５ｍｍ程度、好ましくは厚さ２〜３ｍｍの一般構造用圧延鋼材（SS400）からなる薄肉鋼板が素材に用いられており、矩形状の底板６と、該底板６の目地幅方向（図１１において左右方向）に沿う両側縁に夫々立設された左右の側壁板７，７（図４，図５参照）と、前記底板６の後端縁に立設された後壁板８と、前記底板６の前端縁から前部上方に向けて斜めに延出された傾斜壁板９とを備えている。ここで、該側壁板７，７と後壁板８の上端部には、その上縁を夫々内方に向けて略直角に屈曲させた所定幅（８ｍｍ程度）の熱歪み防止縁１０（図６，図７参照）が設けられており、該熱歪み防止縁１０によって、側壁板７，７及び後壁板８の面方向の強度を向上させるようにしている。
【００３９】
また、側壁板７，７の内側には、補強支持板１２，１２（図６参照）が目地ｓの幅方向に沿って夫々配設されている。一方、後壁板８の内側には、断面Ｌ形の補強支持板１４（図７参照）が目地ｓに沿う方向に配設されている。
【００４０】
また、充填筐体部５の前部に配設されて前方へ延出された端部カバー板１５は、下方に傾斜されて設けられており、該端部カバー板１５の下面が前記傾斜壁板９の上端縁によって支持されている。そして、この下方傾斜する端部カバー板１５によって、カバー体Ｃの自由端側の端部上面と建造物Ｂの床ｆ2 の上面との間に急激な段差が生じないようにしている。
【００４１】
そして、カバー体Ｃは、このように形成された後、溶融した５００℃程度の亜鉛浴中に浸漬されて溶融亜鉛メッキが施される。
【００４２】
その他、第一実施例と共通する構成部分については第一実施例と同一の符号を付して重複説明を省略する。
【００４３】
かかる構成からなる床用目地カバー装置は、カバー体Ｃが、常時は図１１に示す定常位置で目地ｓを覆っている。そして、地震時において、建造物Ａと、隣接する建造物Ｂとが離近する方向または前後方向（目地ｓに沿う方向）に相対変位すると、カバー体Ｃの自由端が建造物Ｂの床ｆ2 の側縁上を水平に摺動してその相対変位に追従する。
【００４４】
また、建造物Ａと、隣接する建造物Ｂとが上下方向に相対変位すると、カバー体Ｃは、連結手段２０により建造物Ａの床ｆ1 の側縁に連結された一端を支点として、建造物Ａもしくは隣接する建造物Ｂの上下動に伴なって傾動して、その相対変位に追従する。
【００４５】
そして、この第二実施例にあっても、カバー体Ｃが、薄肉鋼板からなる充填筐体部５の少なくとも目地ｓの幅方向に沿う左右の側壁板７，７の上端部に、該左右の側壁板７，７の上縁を夫々内側方に向けて屈曲させた熱歪み防止縁１０，１０を備えているので、該熱歪み防止縁１０，１０によって、薄肉鋼板からなる側壁板７，７の面方向の強度が向上され、カバー体Ｃの溶融亜鉛メッキ時に、熱歪みによる側壁板７，７の変形を防止することができる。そして、このように、薄肉鋼板からなる充填筐体部５を備えたカバー体Ｃに溶融亜鉛メッキを施し得るので、従来のステンレス製のものに比して半額程度のコストでカバー体Ｃを製作することができるとともに、鋼板製のカバー体Ｃの耐食性及び美観性を高めることができる。
【００４６】
また、側壁板７，７を支持する補強支持板１２，１２が、充填筐体部５の側壁板７，７の内側に目地ｓの幅方向に沿って配設されているので、該補強支持板１２，１２によって、側壁板７，７の強度をさらに向上させることができ、カバー体Ｃの溶融亜鉛メッキ時に、該側壁板７，７の熱歪みによる変形をより確実に防止することができる。
【００４７】
また、薄肉鋼板が、厚さ２〜３ｍｍの一般構造用圧延鋼材であるため、厚肉の鋼板に比して軽量かつ安価であり、所定の強度を備えているので、側壁板７，７の上端部に熱歪み防止縁１０，１０を設ける充填筐体部５の材質として、最も適したものとなる。
【００４８】
さらに、充填筐体部５の前部に、前方へ延出する端部カバー板１５が配設され、該端部カバー板１５の下面が傾斜壁板９の上端縁によって支持されているので、該傾斜壁板９によって、端部カバー板１５の面方向の強度が向上され、カバー体Ｃの溶融亜鉛メッキ時に、端部カバー板１５の熱歪みによる変形を防止することができる。
【００４９】
尚、上記各実施例において、建造物Ａを免震構造の建造物、建造物Ｂを人工地盤からなる建造物としたが、これに代えて、建造物Ａを人工地盤からなる建造物、建造物Ｂを免震構造の建造物としてもよい。また、本発明にかかる床用目地カバー装置は、免震装置によって下部が支持された免震構造の建造物以外の一般的な建造物にも適用することが可能である。
【図面の簡単な説明】
【００５０】
【図１】第一実施例にかかる床用目地カバー装置の施工状態を示す縦断正面図である。
【図２】第一実施例の変形実施例にかかる床用目地カバー装置の施工状態を示す縦断正面図である。
【図３】同上の床用目地カバー装置を構成するカバー体Ｃの縦断正面図である。
【図４】同上のカバー体Ｃの平面図である。
【図５】同上のカバー体Ｃの図４におけるＤ−Ｄ断面図である。
【図６】（Ａ）は側壁板７の内側に斜めに配置された補強支持板１２を示す要部の拡大断面図、（Ｂ）は補強支持板１２の他の配置態様を示す要部の拡大断面図である。
【図７】後壁板８の内側に配置された補強支持板１４を示す要部の拡大断面図である。
【図８】連結手段２０部分の拡大断面図である。
【図９】カバー体Ｃの作用説明図である。
【図１０】複数個のカバー体Ｃを目地ｓに沿う方向に連続状に配設した状態を示す平面図である。
【図１１】第二実施例にかかる床用目地カバー装置の施工状態を示す縦断正面図である。
【図１２】同上の床用目地カバー装置を構成するカバー体Ｃの縦断正面図である。
【図１３】（Ａ）は従来構成の床用目地カバー装置の概略縦断正面図、（Ｂ）はその作用説明図である。
【符号の説明】
【００５１】
Ａ  建造物
Ｂ  建造物
Ｃ  カバー体
ｆ1  床
ｆ2  床
ｓ  目地
５  充填筐体部
６  底板
７  側壁板
８  後壁板
９  傾斜壁板
１０  熱歪み防止縁
１２  補強支持板
１５  端部カバー板
１８  舗装材
２０  連結手段
【図１】
0005123717.tif 000002
【図２】
0005123717.tif 000003
【図３】
0005123717.tif 000004
【図４】
0005123717.tif 000005
【図５】
0005123717.tif 000006
【図６】
0005123717.tif 000007
【図７】
0005123717.tif 000008
【図８】
0005123717.tif 000009
【図９】
0005123717.tif 000010
【図１０】
0005123717.tif 000011
【図１１】
0005123717.tif 000012
【図１２】
0005123717.tif 000013
【図１３】
0005123717.tif 000014